(57)【要約】      【課題】  魚釣りで使用するテンビンがＬ字形から一直線に変化することを可能にする。      【解決手段】  支持用棒１１の一端に支持用ラセン環１３とＬ字形停止用ピン１４を、他端に道糸用環１２とを有し、支持用ラセン環１３の近傍にオモリ用支柱１６を備えたオモリ用環１５を有した支持部と、腕用棒２１の一端に腕用ラセン環２３と逆折れ防止用バー２４を、他端にハリス用環２２とを有した腕部とで構成し、それぞれのラセン環を軸３１で屈折自在に結合し、オモリ９１を吊着して投入沈降させると、逆折れ防止用バー２４に支持用棒１１が当り逆折れを防ぎ、Ｌ字形停止用ピン１４に腕用棒２１が当りＬ字形となることで道糸９２とハリス９３とが離反して絡むことを防ぎ、沈降停止時は腕部が垂れ下がり魚の食い付き時の違和感を軽減して食い込みを良くして釣果率を上げ、魚と引き合う時は支持部と腕部とが一直線になり変形を防ぎ、運搬時は嵩が小さい。【選択図】図５
2007049956.tif 000002
【特許請求の範囲】
【請求項１】
支持棒の一端に道糸環と他端に支持ラセン体とその末端にＬ字形止め棒とを備え、支持ラセン体上部にオモリ環を備えたオモリ支柱を固着した支持部と、腕棒の一端にハリス環と他端に腕ラセン体とその末端に腕ラセン体の外周に直交する逆折れ止め棒を備えた腕部とで構成し、支持ラセン体と腕ラセン体とを軸で屈折自在に結合したもので、投入時は支持棒が逆折れ止め棒に当り腕部の逆折れを防ぎ、沈降時は腕棒がＬ字形止め棒の先端に当り支持部と腕部とがＬ字形となり、沈降停止時は腕部が軸を支点に垂れ下がり、魚と引き合うと支持部と腕部とが一直線となる特徴の変化する釣り用テンビン。
【発明の詳細な説明】
【技術分野】
【０００１】
本発明は、魚釣りで使用するテンビンにおいて、Ｌ字形から一直線にする方法として、テンビンを支持部と腕部とに分割したものを軸で屈折自在に結合し、沈降時は支持部に有する支持ラセン体末端のＬ字形止め棒の先端が腕部に有する腕棒に当ることで支持部と腕部とがＬ字形となり、魚と引き合うと支持部と腕部とが軸を介して一直線になる変化する釣り用テンビンに関する。更に、本発明は、投入時に腕部に有する逆折れ止め棒に支持部に有する支持棒が当り腕部の逆折れを防ぎ、沈降停止時は腕部が軸を支点に垂れ下がる、変化する釣り用テンビンに関する。
【背景技術】
【０００２】
従来、魚釣りで使用するテンビンにおいて、魚が食い付き引き合ったときに変形することを防ぎ、魚を取り込むときに魚の引きの強弱にもオモリの振れを軽減し、運搬時に嵩の小さいものが望まれている。これまでにいろんな形態のテンビンが提案されているその中の１つに、支持軸と棒軸とが振子運動可能に結合し、棒軸は結合部を介してＬ字形に屈曲してオモリを吊着してあり、沈降時及び沈降停止時は支持軸と棒軸とがＬ字形となり、魚が食い付き引き合うと棒軸をＬ字形に屈曲して取り付けたオモリを振り上げて支持軸と棒軸とが一直線になることを特徴としたテンビンが提案されている。（例えば、特許文献１参照）そこで、棒軸をＬ字形に屈曲してオモリを吊着しているので、魚が食い付き引き合うと、魚の引きの強弱によりオモリが振れて取り込み時に危険であり、運搬にも嵩が大きいので棒軸をＬ字形に屈曲してオモリを吊着することを止めることが要求される。
【特許文献１】平２−３６９７７号公開実用新案公報
【発明の開示】
【発明が解決しようとする課題】
【０００３】
本発明は、上記従来技術の問題点を解決するために、投入時は腕部の逆折れを防ぎ、沈降時は支持部と腕部とが軸を介してＬ字形となり、沈降停止時は軸を支点に腕部が垂れ下がり、魚と引き合うと支持部と腕部とが軸を介して一直線になるようにした変化する釣り用テンビンを提供することを課題とする。
【課題を解決するための手段】
【０００４】
本発明の変化する釣り用テンビンは、上記目的を達成するために、テンビンを支持部と腕部とに分離し、支持部に有する支持棒に備えた支持ラセン体と腕部に有する腕棒に備えた腕ラセン体とを軸で屈折自在に結合し、支持棒の支持ラセン体上部にオモリ環を備えたオモリ支柱を固着したもので、沈降時は支持ラセン体の末端に備えたＬ字形止め棒の先端が腕棒に当ることで支持部と腕部とがＬ字形となり、投入時は腕ラセン体の末端に備えた逆折れ止め棒が支持棒に当ることで腕部の逆折れを防ぎ、沈降停止時は軸を支点に腕部が垂れ下がり、魚と引き合う時は支持部と腕部とが軸を介して一直線になるようにする。
【発明の効果】
【０００５】
本発明によれば、支持部と腕部とがＬ字形となることで道糸とハリスが離反し絡むことを防ぎ、腕部が軸を支点に垂れ下がることで魚の食い付き時に与える違和感を和らげて食い込みを良くし、支持部と腕部とが一直線になることで魚との引き合いで変形することを防ぎ、魚の引きの強弱にもオモリの振れが軽減され安全で、嵩が小さく運搬が楽である。
【発明を実施するための最良の形態】
【０００６】
本発明は、魚釣りで使用する釣り用テンビンがＬ字形から一直線に変化するもので、それを図面について説明すれば、図１は、本発明の変化する釣り用テンビンの形態を示す正面図で、支持棒１１の一端に道糸環１２と他端に支持ラセン体１３とその末端にＬ字形止め棒１４とを備え、支持ラセン体１３の上部にオモリ環１５を備えたオモリ支柱１６を固着した支持部と、腕棒２１の一端にハリス環２２と他端に腕ラセン体２３とその末端に腕ラセン体２３の外周に直交する逆折れ止め棒２４とを備えた腕部とで構成し、支持ラセン体１３と腕ラセン体２３とを軸３１で屈折自在に結合したものとする。図２は、図１の支持ラセン体部分の詳細正面図で、支持棒１１に有する支持ラセン体１３の末端にＬ字形止め棒１４を備えたものとする。図３は、図１の腕ラセン体部分の詳細正面図で、腕棒２１に有する腕ラセン体２３の末端をその外周に直交する逆折れ止め棒２４を備えたものとする。図４は、図１の結合した軸部の詳細左側面図で、支持ラセン体１３と腕ラセン体２３とを軸３１で屈折自在に結合したもので、支持棒１１が逆折れ止め棒２４に当ることによって投入時に腕部の逆折れを防ぎ、腕棒２１がＬ字形止め棒１４の先端に当ることによって沈降時に支持部と腕部とがＬ字形となるものとする。図５は、本発明の変化する釣り用テンビンが沈降中の一実施例を示す概念図で、道糸環１２に道糸９２を、ハリス環２２にハリス９３をそれぞれ接続し、オモリ支柱１６に備えたオモリ環１５にオモリ９１を吊着したものが、海水の抵抗で軸３１を支点にハリス環２２側が振り上がり、腕棒２１がＬ字形止め棒１４の先端に当ることによって支持部と腕部とがＬ字形となるものとする。図６は、本発明の変化する釣り用テンビンが停止時の一実施例を示す概念図で、腕部が軸３１を支点に垂れ下がるものとする。更に、魚と引き合った時も一直線になるものとする。
【０００７】
このように、支持部と腕部とがＬ字形となることで道糸９２とハリス９３とが離反し絡むことを防ぎ、腕部が垂れ下がることで魚の食い付き時に与える違和感を和らげて食い込みを良くし、支持部と腕部とが一直線になることで魚との引き合いで変形することを防ぎ、魚の引きの強弱にもオモリ９１の振れが軽減され安全で、運搬をも楽になるようにした変化する釣り用テンビン。
【図面の簡単な説明】
【０００８】
【図１】本発明の変化する釣り用テンビンの形態を示す正面図である。
【図２】図１の支持ラセン体部分の詳細正面図である。
【図３】図１の腕ラセン体部分の詳細正面図である。
【図４】図１の結合した軸部の詳細左側面図である。
【図５】本発明の変化する釣り用テンビンが沈降中の一実施例を示す概念図である。
【図６】本発明の変化する釣り用テンビンが停止時の一実施例を示す概念図である。
【符号の説明】
【０００９】
１１              支持棒
１２              道糸環
１３              支持ラセン体
１４              Ｌ字形止め棒
１５              オモリ環
１６              オモリ支柱
２１              腕棒
２２              ハリス環
２３              腕ラセン体
２４              逆折れ止め棒
３１              軸
９１              オモリ
９２              道糸
９３              ハリス
【図１】
2007049956.tif 000003
【図２】
2007049956.tif 000004
【図３】
2007049956.tif 000005
【図４】
2007049956.tif 000006
【図５】
2007049956.tif 000007
【図６】
2007049956.tif 000008
【手続補正書】
【提出日】平成18年7月5日(2006.7.5)
【手続補正１】
【補正対象書類名】特許請求の範囲
【補正対象項目名】請求項１
【補正方法】変更
【補正の内容】
【請求項１】
支持用棒の一端に有した支持用ラセン環の末端をＬ字形停止用ピンとし、他端に道糸用環を有し、支持用ラセン環近傍にオモリ用支柱を備えたオモリ用環を有した支持部と、腕用棒の一端に有した腕用ラセン環の末端を腕用ラセン環の外周に交わるようにした逆折れ防止用バーを有し、他端にハリス用環を有した腕部とで構成し、支持用ラセン環と腕用ラセン環とを軸で屈折自在に結合することで、支持用棒が逆折れ防止用バーに当り腕部の逆折れを防ぐことや、腕用棒がＬ字形停止用ピンに当り支持部と腕部とが軸を介してＬ字形となることや、腕部が軸を支点に垂れ下がることや、支持部と腕部とが一直線となることを特徴とした変化する釣り用テンビン。
【手続補正２】
【補正対象書類名】明細書
【補正対象項目名】０００１
【補正方法】変更
【補正の内容】
【０００１】
本発明は、魚釣りで使用するテンビンにおいて、Ｌ字形や一直線にと変化させる方法として、テンビンを道糸接続用の支持部とハリス接続用の腕部とに分割し、支持部に有した末端をＬ字形停止用ピンとした支持用ラセン環と、腕部に有した末端を逆折れ防止用バーとした腕用ラセン環とを軸で屈折自在に結合し、支持用ラセン環近傍にオモリ用支柱を備えたオモリ用環を有したことにより、投入時は腕部の逆折れを防ぎ、支持部と腕部とが沈降時はＬ字形となり、魚と引き合う時や運搬時には一直線となる変化する釣り用テンビンに関する。
【手続補正３】
【補正対象書類名】明細書
【補正対象項目名】０００２
【補正方法】変更
【補正の内容】
【０００２】
従来、船での魚釣りで使用するテンビンは、沈降時には道糸とハリスとが絡むことを防ぎ、魚が食い付き引き合っても変形しないことが望まれる。これまでにいろんな形態の魚釣り用テンビンが提案されているその中の一つに、支持軸と棒軸とが振子運動可能に結合し、棒軸は結合部を介してＬ字形に屈曲してオモリを吊着してあり、沈降時及び沈降停止時は支持軸と棒軸とがＬ字形となり、魚が食い付き引き合うと棒軸をＬ字形に屈曲して取り付けたオモリを振り上げて支持軸と棒軸とが一直線になることを特徴とした魚釣り用テンビンが提案されている。（例えば、特許文献１参照）そこで、オモリの取り付けが棒軸の結合部を介してＬ字形に屈曲してオモリを吊着しているので、魚が食い付く時に違和感を与え、魚を取り込む時に魚の引きの強弱でオモリが振れることや、運搬時には嵩が大きいのでこれらの改善が要求される。
【手続補正４】
【補正対象書類名】明細書
【補正対象項目名】０００３
【補正方法】変更
【補正の内容】
【０００３】
本発明は、上記従来技術の問題点を解決し、魚が食い付く時の違和感や魚を取り込む時に魚の引きの強弱でオモリが振れることを軽減し、運搬時には嵩が小さくなるようにする変化する魚釣り用テンビンを提供することを課題とする。更に、本発明は投入時に腕部の逆折れを防ぎ、支持部と腕部とが沈降時はＬ字形となり魚と引き合うと一直線になるようにする変化する釣り用テンビンを提供することを課題とする。
【手続補正５】
【補正対象書類名】明細書
【補正対象項目名】０００４
【補正方法】変更
【補正の内容】
【０００４】
本発明の変化する釣り用テンビンは、上記目的を達成するために、支持用棒の一端に有した支持用ラセン環の末端をＬ字形停止用ピンとし、他端に道糸用環を有し、支持用ラセン環近傍にオモリ用支柱を備えるオモリ用環を有する支持部と、腕用棒の一端に有した腕用ラセン環の末端を腕用ラセン環の外周に交わるようにした逆折れ防止用バーを有し、他端にハリス用環を有した腕部とでなり、支持用ラセン環と腕用ラセン環とを軸で屈折自在に結合する。こうすることで、投入時は支持用棒が逆折れ防止用バーに当ることで腕部の逆折れを防ぐようにする。沈降時はオモリ用環に吊着したオモリに引かれて、腕用棒がＬ字形停止用ピンに当ることで支持部と腕部とが軸を介してＬ字形となるようにする。沈降停止時は腕部が軸を支点に垂れ下がるようにする。魚と引き合う時や運搬時には支持部と腕部とが軸を介して一直線になるようにする。
【手続補正６】
【補正対象書類名】明細書
【補正対象項目名】０００５
【補正方法】変更
【補正の内容】
【０００５】
本発明によれば、投入時は腕部の逆折れを防ぎ、沈降時は支持部と腕部とがＬ字形となることで道糸とハリスとが離反し絡むことを防ぎ、腕部が軸を支点に垂れ下がることで魚の食い付く時に与える違和感を軽減して魚の食い込みが良くなり釣果率が上がり、支持部と腕部とが一直線になることで魚との引き合いで変形することを防ぎ、魚の引きの強弱にもオモリの振れを軽減し、運搬時は嵩が小さい。
【手続補正７】
【補正対象書類名】明細書
【補正対象項目名】０００６
【補正方法】変更
【補正の内容】
【０００６】
本発明は、Ｌ字形や一直線にと変化する魚釣り用テンビンで、それを図面について説明すれば、図１は、本発明の変化する釣り用テンビンの形態を示す正面図で、支持用棒１１の一端に有した支持用ラセン環（ラセン環とは、棒軸をネジ状に形成した開放環）１３の末端をＬ字形停止用ピン１４とし、他端に道糸用環１２を有し、支持用ラセン環１３の近傍にオモリ用支柱１６を備えたオモリ用環１５を有した支持部と、腕用棒２１の一端に有した腕用ラセン環２３の末端を腕用ラセン環２３の外周に交わるようにした逆折れ防止用バー２４を有し、他端にハリス用環２２を有した腕部とで構成し、支持用ラセン環１３と腕用ラセン環２３とを軸３１で屈折自在に結合してなる。図２は、図１の支持用ラセン環部分の詳細正面図で、支持用棒１１に有した支持用ラセン環１３の末端をＬ字形停止用ピン１４とした。図３は、図１の腕用ラセン環部分の詳細正面図で、腕用棒２１に有した腕用ラセン環２３の末端を屈曲して腕用ラセン環２３の外周に交わるようにした逆折れ防止用バー２４を有してなる。図４は、図１の結合した軸部分の詳細左側面図で、支持用ラセン環１３と腕用ラセン環２３とを軸３１で屈折自在に結合したことで、支持用棒１１が逆折れ防止用バー２４に当り、投入時に腕部の逆折れを防ぎ、腕用棒２１がＬ字形停止用ピン１４に当り沈降時に支持部と腕部とがＬ字形となる。図５は、本発明の変化する釣り用テンビンが沈降中の一実施例を示す概念図で、道糸用環１２に道糸９２を、ハリス用環２２にハリス９３をそれぞれ接続し、オモリ用支柱１６を備えたオモリ用環１５にオモリ９１を吊着して沈降させると、海水の抵抗で軸３１を支点にハリス用環２２側が振り上がり、腕用棒２１がＬ字形停止用ピン１４に当り支持部と腕部とがＬ字形となる。図６は、本発明の変化する釣り用テンビンが沈降停止時の一実施例を示す概念図で、腕部が軸３１を支点に垂れ下がる。更に、魚と引き合った時や運搬時には支持部と腕部とが一直線になる。
【手続補正８】
【補正対象書類名】明細書
【補正対象項目名】０００７
【補正方法】変更
【補正の内容】
【０００７】
このように、腕部の逆折れを防止して支持部と腕部とがＬ字形となって沈降することで道糸９２とハリス９３とが離反し絡むことを防ぎ、腕部が垂れ下がることで魚の食い付き時に与える違和感を軽減して食い込みが良く釣果率が上がり、支持部と腕部とが一直線になることで魚との引き合いで変形することを防ぎ、魚の引きの強弱にもオモリの振れを軽減し、運搬時は嵩が小さい変化する釣り用テンビン。なお、オモリ用支柱１６を備えたオモリ用環１５とオモリの吊着だけのように説明したが、オモリを有した撒き餌を入れるカゴにも同様に摘要できる。
【手続補正９】
【補正対象書類名】明細書
【補正対象項目名】０００８
【補正方法】変更
【補正の内容】
【０００８】
【図１】本発明の変化する釣り用テンビンの形態を示す正面図である。
【図２】図１の支持用ラセン環部分の詳細正面図である。
【図３】図１の腕用ラセン環部分の詳細正面図である。
【図４】図１の結合した軸部分の詳細左側面図である。
【図５】本発明の変化する釣り用テンビンが沈降中の一実施例を示す概念図である。
【図６】本発明の変化する釣り用テンビンが沈降停止時の一実施例を示す概念図である。
【手続補正１０】
【補正対象書類名】明細書
【補正対象項目名】０００９
【補正方法】変更
【補正の内容】
【０００９】
１１              支持用棒
１２              道糸用環
１３              支持用ラセン環
１４              Ｌ字形停止用ピン
１５              オモリ用環
１６              オモリ用支柱
２１              腕用棒
２２              ハリス用環
２３              腕用ラセン環
２４              逆折れ防止用バー
３１              軸
９１              オモリ
９２              道糸
９３              ハリス
【手続補正書】
【提出日】平成18年8月18日(2006.8.18)
【手続補正１】
【補正対象書類名】明細書
【補正対象項目名】０００２
【補正方法】変更
【補正の内容】
【０００２】
従来、船での魚釣りで使用するテンビンは、沈降時には道糸とハリスとが絡むことを防ぎ、魚が食い付き引き合っても変形しないことが望まれる。これまでにいろんな形態の魚釣り用テンビンが提案されているその中の一つに、支持軸と棒軸とが振子運動可能に結合し、棒軸は結合部を介してＬ字形に屈曲してオモリを吊着してあり、沈降時及び沈降停止時は支持軸と棒軸とがＬ字形となり、魚が食い付き引き合うと棒軸をＬ字形に屈曲して取り付けたオモリを振り上げて支持軸と棒軸とが一直線になることを特徴とした魚釣り用テンビンが提案されている。（例えば、特許文献１参照）そこで、オモリの取り付けが棒軸の結合部を介してＬ字形に屈曲してオモリを吊着しているので、魚が食い付く時に違和感を与え、魚を取り込む時に魚の引きの強弱でオモリが振れることや、運搬時には嵩が大きいのでこれらの改善が要求される。
【特許文献１】平２−３６９７７号公開実用新案公報